(57)【要約】【課題】洗浄力と除菌力とにより優れ、かつ、拭き取り性が良好なトイレ用液体洗浄剤組成物。【解決手段】（Ａ）成分：両性界面活性剤、ノニオン界面活性剤、及び半極性界面活性剤から選択される１種以上の界面活性剤と、（Ｂ）成分：特定のグリコールエーテルと、（Ｃ）成分：炭素数８〜１８のアルキル基を一つ又は二つ有するカチオン界面活性剤と、（Ｄ）成分：水と、を、含有し、前記（Ａ）成分の含有量が、総質量に対して０．５〜５質量％であり、前記（Ｂ）成分の含有量が、総質量に対して０．２〜４．５質量％であり、前記（Ａ）成分／（前記（Ｂ）成分＋前記（Ｃ）成分）で表される質量比が、０．５〜１５である、トイレ用液体洗浄剤組成物。【選択図】なし【特許請求の範囲】
【請求項１】
（Ａ）成分：両性界面活性剤、ノニオン界面活性剤、及び半極性界面活性剤から選択される１種以上の界面活性剤と、
（Ｂ）成分：下記式（ｂ１）で表される化合物と、
（Ｃ）成分：炭素数８〜１８のアルキル基を一つ又は二つ有するカチオン界面活性剤と、
（Ｄ）成分：水と、
を、含有し、
前記（Ａ）成分の含有量が、総質量に対して０．５〜５質量％であり、
前記（Ｂ）成分の含有量が、総質量に対して０．２〜４．５質量％であり、
前記（Ａ）成分／（前記（Ｂ）成分＋前記（Ｃ）成分）で表される質量比が、０．５〜１５である、トイレ用液体洗浄剤組成物。
【化１】
2020105257.tif 000010
［式（ｂ１）中、Ｘは、酸素原子又はＣＨ２Ｏ基であり、Ｒ１は、炭素数２又は３のアルキレン基であり、ｍは、（Ｒ１Ｏ）の平均繰り返し数を表す１〜６の数であり、Ｒ２は、水素原子又は炭素数１〜３のアルキル基である。］
【請求項２】
２５℃における粘度が５０ｍＰａ・ｓ以下である、請求項１に記載のトイレ用液体洗浄剤組成物。
【請求項３】
前記（Ｂ）成分／前記（Ｃ）成分で表される質量比が、１〜３５である、請求項１又は２に記載のトイレ用液体洗浄剤組成物。
【請求項４】
アニオン界面活性剤を実質的に含有しない、請求項１〜３のいずれか一項に記載のトイレ用液体洗浄剤組成物。
【発明の詳細な説明】
【技術分野】
【０００１】
本発明は、トイレ用液体洗浄剤組成物に関する。
【背景技術】
【０００２】
トイレに用いられる液体洗浄剤組成物には、洗浄効果だけではなく、糞尿臭を消臭あるいは防臭する効果が求められる。このような悪臭は、細菌等が原因となる場合があり、トイレ用液体洗浄剤組成物には、除菌効果あるいは抗菌効果が求められる。
【０００３】
例えば、特許文献１には、Ｎ−ラウロイルアミノプロピル−Ｎ，Ｎ−ジメチルアミンオキシド及びジデシルジメチルアンモニウムクロリドを含有するトイレ用液体洗浄剤組成物が提案されている。
特許文献１の発明によれば、洗浄力と除菌力との向上が図られている。
【先行技術文献】
【特許文献】
【０００４】
【特許文献１】特開２０１０−１６２３２１号公報
【発明の概要】
【発明が解決しようとする課題】
【０００５】
しかしながら、トイレ用液体洗浄剤組成物には、洗浄力のさらなる向上が求められている。加えて、洗浄力を高めるために、洗浄成分（界面活性剤等）の含有量を単に高めると、便器以外の洗浄対象（例えば、便座、床等）に対してトイレ用液体洗浄剤組成物を塗布し、これを拭き取る洗浄方法（拭き取り洗浄）を施した場合に、洗浄対象に拭き跡が残り、洗浄対象の表面がべたつきやすい（拭き取り性が悪い）。
【０００６】
そこで、本発明は、洗浄力と除菌力とにより優れ、かつ、拭き取り性が良好なトイレ用液体洗浄剤組成物を目的とする。
【課題を解決するための手段】
【０００７】
本発明は、以下の態様を有する。
［１］（Ａ）成分：両性界面活性剤、ノニオン界面活性剤、及び半極性界面活性剤から選択される１種以上の界面活性剤と、（Ｂ）成分：下記式（ｂ１）で表される化合物と、（Ｃ）成分：炭素数８〜１８のアルキル基を一つ又は二つ有するカチオン界面活性剤と、（Ｄ）成分：水と、を、含有し、前記（Ａ）成分の含有量が、総質量に対して０．５〜５質量％であり、前記（Ｂ）成分の含有量が、総質量に対して０．２〜４．５質量％であり、前記（Ａ）成分／（前記（Ｂ）成分＋前記（Ｃ）成分）で表される質量比が、０．５〜１５である、トイレ用液体洗浄剤組成物。
【０００８】
【化１】
2020105257.tif 000002
【０００９】
［式（ｂ１）中、Ｘは、酸素原子又はＣＨ２Ｏ基であり、Ｒ１は、炭素数２又は３のアルキレン基であり、ｍは、（Ｒ１Ｏ）の平均繰り返し数を表す１〜６の数であり、Ｒ２は、水素原子又は炭素数１〜３のアルキル基である。］
【００１０】
［２］２５℃における粘度が５０ｍＰａ・ｓ以下である、［１］に記載のトイレ用液体洗浄剤組成物。
［３］前記（Ｂ）成分／前記（Ｃ）成分で表される質量比が、１〜３５である、［１］又は［２］に記載のトイレ用液体洗浄剤組成物。
［４］アニオン界面活性剤を実質的に含有しない、［１］〜［３］のいずれか一項に記載のトイレ用液体洗浄剤組成物。
［５］前記（Ａ）成分は、（ａ１）成分：両性界面活性剤、を含有し、前記（ａ１）成分の含有量が、界面活性剤の総質量に対して５０質量％以上である、［１］〜［４］のいずれか一項に記載のトイレ用液体洗浄剤組成物。
［６］前記（Ｂ）成分と前記（Ｃ）成分との合計量が、総質量に対して０．２１〜５質量％である、［１］〜［５］のいずれか一項に記載のトイレ用液体洗浄剤組成物。
［７］前記（Ａ）成分と前記（Ｂ）成分と前記（Ｃ）成分との合計量が、総質量に対して０．７５〜７質量％である、［１］〜［６］のいずれか一項に記載のトイレ用液体洗浄剤組成物。
【発明の効果】
【００１１】
本発明のトイレ用液体洗浄剤組成物によれば、洗浄力と除菌力とにより優れ、かつ、拭き取り性を良好にできる。
【発明を実施するための形態】
【００１２】
≪トイレ用液体洗浄剤組成物≫
本発明のトイレ用液体洗浄剤組成物（以下、単に「液体洗浄剤」ともいう。）は、（Ａ）〜（Ｄ）成分を含有する。
【００１３】
＜（Ａ）成分＞
（Ａ）成分は、両性界面活性剤、ノニオン界面活性剤、及び半極性界面活性剤から選択される１種以上の界面活性剤である。液体洗浄剤は、（Ａ）成分を含有することで、洗浄力及び拭き取り性を向上できる。
（Ａ）成分としては、液体洗浄剤に通常用いられる、両性界面活性剤（以下、「（ａ１）成分」ともいう。）、ノニオン界面活性剤（以下、「（ａ２）成分」ともいう。）、半極性界面活性剤（以下、「（ａ３）成分」ともいう。）等が挙げられる。
これらの中でも、（Ａ）成分としては、（ａ１）成分、（ａ２）成分が好ましく、（ａ１）成分がより好ましい。（ａ１）成分を（Ｂ）成分、（Ｃ）成分と併用することで、洗浄力及び拭き取り性を向上できる。加えて、液体洗浄剤は、（ａ１）成分を（Ｂ）成分、（Ｃ）成分と併用することで、除菌力を高めやすい。
なお、除菌力を高める観点から、液体洗浄剤は、アニオン界面活性剤を実質的に含有しないことが好ましい。「アニオン界面活性剤を実質的に含有しない」とは、アニオン界面活性剤の含有量が、液体洗浄剤の総質量に対して、０．２質量％以下であることをいう。
【００１４】
（（ａ１）成分）
（ａ１）成分は、両性界面活性剤である。（ａ１）成分としては、特に限定されず、目的に応じて適宜選択することができ、例えば、ベタイン系両性界面活性剤、アミノ酸系両性界面活性剤等が挙げられる。これらの中でも、ベタイン系両性界面活性剤が好ましい。
ベタイン系両性界面活性剤としては、例えば、カルボベタイン系両性界面活性剤、アミドベタイン系両性界面活性剤、スルホベタイン系（ヒドロキシスルホベタイン系、アミドスルホベタイン系）両性界面活性剤、イミダゾリニウムベタイン系両性界面活性剤、ホスホベタイン系両性界面活性剤、アミノプロピオン酸系両性界面活性剤等が挙げられる。
（ａ１）成分としては、カルボベタイン系両性界面活性剤、アミドベタイン系両性界面活性剤が好ましく、アミドベタイン系両性界面活性剤がより好ましい。
【００１５】
（１）カルボベタイン系両性界面活性剤としては、例えば、ラウリン酸ジメチルアミノ酢酸ベタイン、ミリスチルジメチルアミノ酢酸ベタイン、ステアリルジメチルアミノ酢酸ベタイン等が挙げられる。
（２）アミドベタイン系両性界面活性剤としては、例えば、ヤシ油脂肪酸アミドプロピルベタイン（コカミドプロピルベタイン）、ラウリン酸アミドプロピルベタイン、イソステアラミドプロピルベタイン等が挙げられる。
（３）スルホベタイン系両性界面活性剤としては、例えば、ヤシ油脂肪酸ジメチルアミノヒドロキシスルホベタイン、ラウリルジメチルアミノヒドロキシスルホベタイン、ラウリルヒドロキシスルホベタイン、ヤシ油脂肪酸ジメチルスルホプロピルベタイン、ラウリルスルホベタイン、ステアリルスルホベタイン、ミリスチルスルホベタイン等が挙げられる。
（４）イミダゾリニウムベタイン系両性界面活性剤としては、例えば、ヤシ油アルキル−Ｎ−ヒドロキシエチルイミダゾリニウムベタイン、ヤシ油アルキル−Ｎ−カルボキシエチル−Ｎ−ヒドロキシエチルイミダゾリニウムベタイン、２−アルキル−Ｎ−カルボキシメチル−Ｎ−ヒドロキシエチルイミダゾリニウムベタイン等が挙げられる。
（５）ホスホベタイン系両性界面活性剤としては、例えば、ラウリルヒドロキシホスホベタイン等が挙げられる。
（６）アミノプロピオン酸系両性界面活性剤としては、例えば、ラウリルアミノジプロピオン酸ナトリウム、ラウリルアミノジプロピオン酸トリエタノールアミン等が挙げられる。
（７）アミノ酸系両性界面活性剤としては、例えば、ラウリルアミノ脂肪酸塩、ステアリルアミノ脂肪酸塩、ミリスチルアミノ脂肪酸塩等が挙げられる。
【００１６】
（ａ１）成分としては、上述の中でも、ラウリン酸アミドプロピルベタイン、ラウリルジメチルアミノ酢酸ベタイン、ステアリルジメチルアミノ酢酸ベタインが好ましい。拭き取り性をより高めやすい観点から、（ａ１）成分としては、ラウリン酸アミドプロピルベタイン、ラウリルジメチルアミノ酢酸ベタインがより好ましい。
前記塩の対イオンとしては、例えば、アルカリ金属イオン、アンモニウムイオン、アルカノールアミン塩のイオン等が挙げられる。これらの中でも、アルカリ金属イオンが好ましく、ナトリウムイオン、カリウムイオンがより好ましい。
【００１７】
（ａ１）成分は、商業的に入手可能である。商業的に入手可能な（ａ１）成分としては、例えば、ラウリン酸アミドプロピルベタインである「エナジコール（登録商標）Ｌ−３０Ｂ（一方社油脂工業（株）製）」、ヤシ油脂肪酸アミドプロピルベタインである「ＣＡＢ−３０（一方社油脂工業（株）製）」、ヤシ油脂肪酸アミドプロピルベタインである「ＴＥＧＯ  ＢＥＴＡＩＮ  ＣＫ−ＯＫ（デグサ社製）」、パーム核油脂肪酸アミドプロピルベタインである「アンホレックス（登録商標）ＰＢ−１（ミヨシ油脂（株）製）」、ラウリルジメチルアミノ酢酸ベタインである「レボン（登録商標）ＬＤ−３６（三洋化成工業（株）製）」及び「オバゾリン（登録商標）ＬＢ−ＳＦ（東邦化学工業（株）製）」、ステアリルジメチルアミノ酢酸ベタインである「アンヒトール（登録商標）８６Ｂ（花王（株）製）」等が挙げられる。
【００１８】
（ａ１）成分の含有量は、界面活性剤の総質量に対して、５０質量％以上が好ましく、７０質量％以上がより好ましく、１００質量％が特に好ましい。
【００１９】
（（ａ２）成分）
（ａ２）成分は、ノニオン界面活性剤である。（ａ２）成分としては、例えば、以下の（１）〜（８）の化合物が挙げられる。
（１）炭素数２〜４のアルキレンオキシドのいずれか、又はエチレンオキシドとプロピレンオキシド（モル比ＥＯ／ＰＯ＝０．１／９．９〜９．９／０．１）とを平均３〜３０モル付加した、炭素数１０〜２０の直鎖又は分岐鎖のアルキル（又はアルケニル）基を有するポリオキシアルキレンアルキルエーテル。
（２）炭素数２〜４のアルキレンオキシドのいずれか、又はエチレンオキシドとプロピレンオキシド（モル比ＥＯ／ＰＯ＝０．１／９．９〜９．９／０．１）とを平均３〜３０モル付加した、炭素数１０〜２０の直鎖又は分岐鎖のアルキル（又はアルケニル）基を有するポリオキシアルキレンアルキル（又はアルケニル）フェニルエーテル。
（３）炭素数１０〜２０の長鎖脂肪酸の炭素数１〜２アルキルエステルに、炭素数２〜４のアルキレンオキシドのいずれか、又はエチレンオキシドとプロピレンオキシド（モル比ＥＯ／ＰＯ＝０．１／９．９〜９．９／０．１）とを平均３〜３０モル付加した、脂肪酸アルキルエステルアルコキシレート。
（４）炭素数１０〜２０の長鎖脂肪酸のソルビタンエステルに、炭素数２〜４のアルキレンオキシドのいずれか、又はエチレンオキシドとプロピレンオキシド（モル比ＥＯ／ＰＯ＝０．１／９．９〜９．９／０．１）とを平均３〜３０モル付加した、ポリオキシアルキレンソルビタン脂肪酸エステル。
（５）炭素数１０〜２０の長鎖脂肪酸に、炭素数２〜４のアルキレンオキシドのいずれか、又はエチレンオキシドとプロピレンオキシド（モル比ＥＯ／ＰＯ＝０．１／９．９〜９．９／０．１）とを平均３〜３０モル付加した、ポリオキシアルキレン脂肪酸エステル。
（６）硬化ヒマシ油に、炭素数２〜４のアルキレンオキシドのいずれか、又はエチレンオキシドとプロピレンオキシド（モル比ＥＯ／ＰＯ＝０．１／９．９〜９．９／０．１）とを平均３〜３０モル付加した、ポリオキシアルキレン硬化ヒマシ油。
（７）炭素数１０〜２０の長鎖脂肪酸とグリセリンとのエステル（グリセリン脂肪酸エステル）。
（８）炭素数１０〜２０の直鎖又は分岐鎖のアルキルポリグリコシド。
【００２０】
（ａ２）成分において、使用される脂肪族アルコールとしては、第１級アルコールや、第２級アルコールが挙げられる。また、そのアルキル基は、分岐鎖を有していてもよい。
上記の中でも、（ａ２）成分としては、分岐鎖を有する炭素数１２〜１８のアルキル基、アルキレンオキシドの炭素数２、アルキレンオキシドの付加モル数５〜９のポリオキシアルキレンアルキルエーテルが好ましい。（ａ２）成分としては、炭素数１２〜１６のアルキルポリグルコシドがより好ましい。
【００２１】
（（ａ３）成分）
（ａ３）成分は、半極性界面活性剤（アミンオキシド型界面活性剤）である。（ａ３）成分としては、例えば、ドデシルジメチルアミンオキシド（ＡＸ）、ミリスチルジメチルアミンオキシド、ヤシアルキルジメチルアミンオキシド等のアルキルアミンオキシド；ヤシ油脂肪酸アミドプロピルアミンオキシド、ラウリン酸アミドプロピルアミンオキシド等のアミドアミンオキシド等が挙げられる。（ａ３）成分としては、これらの中でも、ドデシルジメチルアミンオキシド（ＡＸ）が好ましい。
【００２２】
（Ａ）成分の含有量は、液体洗浄剤の総質量に対して、０．５〜５質量％であり、０．８〜４質量％が好ましく、１．０〜２．５質量％がより好ましい。（Ａ）成分の含有量が上記下限値以上であると、液体洗浄剤の洗浄力を向上しやすい。（Ａ）成分の含有量が上記上限値以下であると、液体洗浄剤の拭き取り性を高めやすい。
（Ａ）成分は、１種単独で用いてもよく、２種以上を併用してもよい。
【００２３】
＜（Ｂ）成分＞
（Ｂ）成分は、下記式（ｂ１）で表される化合物である。（Ｂ）成分は、いわゆる芳香族系グリコールエーテルである。
【００２４】
【化２】
2020105257.tif 000003
【００２５】
式（ｂ１）中、Ｘは、酸素原子又はＣＨ２Ｏ基であり、Ｒ１は、炭素数２又は３のアルキレン基であり、ｍは、（Ｒ１Ｏ）の平均繰り返し数を表す１〜６の数であり、Ｒ２は、水素原子又は炭素数１〜３のアルキル基である。
【００２６】
式（ｂ１）中、Ｘは、酸素原子が好ましい。Ｒ１は、炭素数２のアルキレン基、すなわち、エチレン基が好ましい。ｍは、１〜３が好ましく、１がより好ましい。Ｒ２は、水素原子が好ましい。
【００２７】
（Ｂ）成分としては、例えば、モノエチレングリコールモノフェニルエーテル、トリエチレングリコールモノフェニルエーテル、モノプロピレングリコールモノフェニルエーテル、トリプロピレングリコールモノフェニルエーテル等が挙げられる。中でも、洗浄力をより高めやすい観点から、（Ｂ）成分としては、モノエチレングリコールモノフェニルエーテルが好ましい。
【００２８】
（Ｂ）成分の含有量は、液体洗浄剤の総質量に対して、０．２〜４．５質量％が好ましく、０．５〜３質量％がより好ましい。（Ｂ）成分の含有量が上記下限値以上であると、液体洗浄剤の洗浄力を向上しやすい。（Ｂ）成分の含有量が上記上限値以下であると、液体洗浄剤の拭き取り性を高めやすい。
（Ｂ）成分は、１種単独で用いてもよく、２種以上を併用してもよい。
【００２９】
＜（Ｃ）成分＞
（Ｃ）成分は、炭素数８〜１８のアルキル基を一つ又は二つ有するカチオン界面活性剤である。（Ｃ）成分は、いわゆるモノ長鎖アルキル型カチオン界面活性剤、又はジ長鎖アルキル型カチオン界面活性剤である。
（Ｃ）成分としては、従来公知のカチオン界面活性剤を用いることができ、例えば、４級アンモニウム塩、グアニジン塩、アミドアミン型界面活性剤等が挙げられる。
【００３０】
（１）４級アンモニウム塩としては、例えば、塩化ドデシルトリメチルアンモニウム、塩化ステアリルトリメチルアンモニウム、塩化セチルトリメチルアンモニウム、塩化オクチルトリメチルアンモニウム、塩化デシルトリメチルアンモニウム、塩化テトラデシルトリメチルアンモニウム、臭化ヘキサデシルトリメチルアンモニウム等が挙げられる。
（２）グアニジン塩としては、例えば、酢酸ラウリン酸アミドブチルグアニジン、酢酸ミリスチン酸アミドブチルグアニジン、酢酸パルミチン酸アミドブチルグアニジン等が挙げられる。
（３）アミドアミン型界面活性剤としては、例えば、ステアリン酸ジメチルアミノエチルアミド、ステアリン酸ジメチルアミノプロピルアミド、ステアリン酸ジエチルアミノエチルアミド、ステアリン酸ジエチルアミノプロピルアミド、ステアリン酸ジプロピルアミノエチルアミド、ステアリン酸ジプロピルアミノプロピルアミド、パルミチン酸ジメチルアミノエチルアミド、パルミチン酸ジメチルアミノプロピルアミド、ミリスチン酸ジメチルアミノエチルアミド、ミリスチン酸ジメチルアミノプロピルアミド等が挙げられる。
【００３１】
（Ｃ）成分としては、除菌力に優れる観点から、上記の中でも４級アンモニウム塩が好ましい。（Ｃ）成分としては、４級アンモニウム塩の中でも、塩化ドデシルトリメチルアンモニウム、塩化ステアリルトリメチルアンモニウムが特に好ましい。
【００３２】
（Ｃ）成分の含有量は、液体洗浄剤の総質量に対して、０．０１〜３質量％が好ましく、０．０３〜１質量％がより好ましく、０．０５〜０．６質量％がさらに好ましい。（Ｃ）成分の含有量が上記下限値以上であると、液体洗浄剤の除菌力を高めやすい。（Ｃ）成分の含有量が上記上限値以下であると、液体洗浄剤の洗浄力をより高めやすい。
（Ｃ）成分は、１種単独で用いてもよく、２種以上を併用してもよい。
【００３３】
（Ａ）成分／（（Ｂ）成分＋（Ｃ）成分）で表される質量比（以下、「Ａ／（Ｂ＋Ｃ）比」ともいう。）は、０．５〜１５であり、０．７〜１４が好ましく、０．８〜１２がより好ましい。Ａ／（Ｂ＋Ｃ）比が上記下限値以上であると、液体洗浄剤の拭き取り性を高めやすい。Ａ／（Ｂ＋Ｃ）比が上記上限値以下であると、液体洗浄剤の拭き取り性を高めやすく、かつ、液体洗浄剤の除菌力を高めやすい。
【００３４】
（Ｂ）成分／（Ｃ）成分で表される質量比（以下、「Ｂ／Ｃ比」ともいう。）は、１〜３５が好ましく、３〜２５がより好ましい。Ｂ／Ｃ比が上記下限値以上であると、液体洗浄剤の洗浄力を高めやすい。Ｂ／Ｃ比が上記上限値以下であると、液体洗浄剤の拭き取り性を高めやすい。
【００３５】
（Ｂ）成分と（Ｃ）成分との合計量（ＢＣ合計量）は、液体洗浄剤の総質量に対して、０．２１〜５質量％が好ましく、０．２５〜３．２質量％がより好ましく、０．５〜２．１質量％がさらに好ましい。ＢＣ合計量が上記下限値以上であると、液体洗浄剤の洗浄力を高めやすい。ＢＣ合計量が上記上限値以下であると、液体洗浄剤の拭き取り性を高めやすい。
【００３６】
（Ａ）成分と（Ｂ）成分と（Ｃ）成分との合計量（ＡＢＣ合計量）は、液体洗浄剤の総質量に対して、０．７５〜７質量％が好ましく、１〜６質量％がより好ましく、２〜４質量％がさらに好ましい。ＡＢＣ合計量が上記下限値以上であると、液体洗浄剤の洗浄力を高めやすい。ＡＢＣ合計量が上記上限値以下であると、液体洗浄剤の拭き取り性を高めやすい。
【００３７】
＜（Ｄ）成分＞
（Ｄ）成分は、水である。（Ｄ）成分としては、特に限定されず、精製水を用いてもよく、水道水を用いてもよい。
（Ｄ）成分の含有量は、液体洗浄剤の総質量に対して、８０〜９５質量％が好ましく、８８〜９４質量％がより好ましい。（Ｄ）成分の含有量が上記下限値以上であると、液体洗浄剤の拭き取り性を高めやすい。（Ｄ）成分の含有量が上記上限値以下であると、液体洗浄剤の洗浄力を高めやすい。
【００３８】
＜任意成分＞
本発明の液体洗浄剤は、必要に応じて、上記成分以外に、通常、トイレ用の液体洗浄剤に使用され得る成分を含有することができる。このような任意成分としては、例えば、殺菌剤（ただし、（Ｃ）成分を除く。）、防腐剤、抗カビ剤、色素、酸化防止剤、増粘剤、紫外線吸収剤、可溶化剤（ただし、（Ｂ）成分を除く。）、香料、ｐＨ調整剤等が挙げられる。
【００３９】
ｐＨ調整剤としては、例えば、硫酸、塩酸、リン酸、水酸化ナトリウム、水酸化カリウム、モノエタノールアミン、ジエタノールアミン、トリエタノールアミン等のアルカノールアミン、アンモニア等が挙げられる。これらの中でも、ｐＨを調整しやすい観点から、硫酸、水酸化ナトリウム、水酸化カリウムが好ましく、硫酸、水酸化カリウムがより好ましい。
ｐＨ調整剤は、１種を単独で用いてもよく、２種以上を併用してもよい。
【００４０】
液体洗浄剤が任意成分を含有する場合、任意成分の含有量は、液体洗浄剤の総質量に対して、０．３〜１９．２質量％が好ましい。
【００４１】
なお、本発明の液体洗浄剤を構成する成分の合計量は１００質量％を超えない。
【００４２】
≪液体洗浄剤の製造方法≫
液体洗浄剤は、従来公知の製造方法により製造される。例えば、溶媒である（Ｄ）成分に、上記（Ａ）〜（Ｃ）成分を添加し、必要に応じて任意成分を加え、これを混合する方法等が挙げられる。
【００４３】
液体洗浄剤の２５℃におけるｐＨは、５〜９が好ましく、６〜８がより好ましい。ｐＨが上記数値範囲内であると、液体洗浄剤の使用性を良好にしやすい。
ｐＨは、ｐＨ調整剤を適量添加することにより調整できる。
本明細書におけるｐＨは、測定対象を２５℃とし、ｐＨメーター（製品名：ＨＭ−３０Ｇ、東亜ディーケーケー（株）製）により測定される値である。
【００４４】
液体洗浄剤の２５℃における粘度は、５０ｍＰａ・ｓ以下が好ましく、３０ｍＰａ・ｓ以下がより好ましく、１０ｍＰａ・ｓ以下がさらに好ましい。２５℃における粘度が上記上限値以下であると、液体洗浄剤の拭き取り性を良好にしやすい。２５℃における粘度の下限値は、特に限定されないが、実質的には０．８ｍＰａ・ｓである。
液体洗浄剤の粘度は、（Ｄ）成分の含有量、増粘剤の添加等により調整できる。
本明細書における粘度は、測定対象を２５℃とし、Ｂ型粘度計を用いて、ローター番号Ｎｏ．１、ローター回転数６０ｒｐｍで、ローターの回転の開始から６０秒後に測定される値である。
【００４５】
≪液体洗浄剤の使用方法≫
液体洗浄剤の使用方法としては、例えば、液体洗浄剤を吐出容器に収容し、この吐出容器から、適量の液体洗浄剤を便器に塗布し、一定時間経過後に、フラッシュ等ですすぐ、「濯ぎ洗い」をする使用方法が挙げられる。
また、他の使用方法としては、適量の液体洗浄剤を便器に塗布し、これを洗浄ブラシで擦る「擦り洗い」をする使用方法が挙げられる。
あるいは、便座やトイレの床に液体洗浄剤を塗布し、これを布や紙で拭き取る「拭き取り洗い」をする使用方法が挙げられる。
【００４６】
液体洗浄剤を収容する吐出容器としては、スプレー容器やスクイズ容器等が挙げられる。中でも、洗浄対象に対する塗布性に優れることから、液体洗浄剤を収容する吐出容器としては、スプレー容器が好ましい。
スプレー容器としては、エアゾールスプレー容器、トリガースプレー容器（直圧型又は蓄圧型）、ディスペンサースプレー容器等が挙げられる。これらの容器は、手動式のものでもよいし、電動式のものでもよい。エアゾールスプレー容器としては、例えば、特開平９−３４４１号公報、特開平９−５８７６５号公報等に記載されているものが挙げられる。エアゾールスプレー容器に充填する場合、噴射剤としてＬＰＧ（液化プロパンガス）、ＤＭＥ（ジメチルエーテル）、炭酸ガス、窒素ガス、亜酸化窒素ガス等を使用できる。これら噴射剤は単独で使用してもよく、２種以上を混合して使用してもよい。
トリガースプレー容器の例としては、例えば、特開平９−２６８４７３号公報、特開平１０−７６１９６号公報等に記載のものが挙げられる。
ディスペンサースプレー容器の例としては、例えば、特開平９−２５６２７２号公報等に記載のものが挙げられる。
蓄圧式のトリガースプレー容器としては、例えば、特開２０１３−１５４２７６号公報等に記載のものが挙げられる。
【実施例】
【００４７】
以下、実施例を示して本発明を詳細に説明するが、本発明は以下の記載によって限定されるものではない。
各実施例及び比較例で使用した原料、測定・評価方法は、以下の通りである。
【００４８】
≪使用原料≫
＜（Ａ）成分＞
Ａ−１：ラウリン酸アミドプロピルベタイン、ライオン（株）製「エナジコール（登録商標）Ｌ−３０Ｂ」。
Ａ−２：ラウリルジメチルアミノ酢酸ベタイン、三洋化成工業（株）製「レボン（登録商標）ＬＤ−３６」。
Ａ−３：ステアリルジメチルアミノ酢酸ベタイン、花王（株）製「アンヒトール（登録商標）８６Ｂ」。
Ａ−４：１２−１６アルキルポリグルコシド（ＡＰＧ）、Ｃｏｇｎｉｓ社製「ＰＬＡＮＴＡＣＡＲＥ  １２００ｕｐ」。
Ａ−５：ＡＸ、ｎ−ドデシルジメチルアミンオキシド、ライオン・スペシャリティ・ケミカルズ（株）製「カデナックス（登録商標）ＤＭ１２Ｄ−Ｗ」。
【００４９】
＜（Ｂ）成分＞
Ｂ−１：エチレングリコールモノフェニルエーテル（フェノキシエタノール）、日本乳化剤（株）製「フェニルグリコール」。
Ｂ−２：ジエチレングリコールモノフェニルエーテル、日本乳化剤（株）製「フェニルグリコール（２モル）」。
Ｂ−３：ヘキサエチレングリコールモノフェニルエーテル、日本乳化剤（株）製「フェニルグリコール（５．５モル）」。
＜（Ｂ’）成分：（Ｂ）成分の比較品＞
Ｂ’−１：ジエチレングリコールモノブチルエーテル、日本乳化剤（株）製「ブチルジグリコール」。
【００５０】
＜（Ｃ）成分＞
Ｃ−１：塩化ドデシルトリメチルアンモニウム、ライオン・スペシャリティ・ケミカルズ（株）製「リポカード（登録商標）１２−３７Ｗ」。
Ｃ−２：塩化ステアリルトリメチルアンモニウム、ライオン・スペシャリティ・ケミカルズ（株）製「リポカード（登録商標）Ｔ−８３３」。
Ｃ−３：酢酸ラウリン酸アミドブチルグアニジン、ライオン（株）製「Ｃ１２Ａ４Ｇ」。
Ｃ−４：ステアリン酸ジメチルアミノプロピルアミド、東邦化学工業（株）製「カチナール（登録商標）ＭＰＡＳ」。
＜（Ｃ’）成分：（Ｃ）成分の比較品＞
Ｃ’−１：塩化ベンザルコニウム（アルキル基の炭素数７のアルキルジメチルベンジルアンモニウムクロリド）、甘糟化学産業（株）製「塩化ベンザルコニウム液」。
【００５１】
＜（Ｄ）成分＞
Ｄ−１：水（精製水）、関東化学（株）製「精製水」。
【００５２】
＜任意成分＞
ＰＶＡ：ポリビニルアルコール（ＰＶＡ）、（株）クラレ製「ＰＶＡ−２１７」。
キサンタンガム：キサンタンガム、ＤＳＰ五協フード＆ケミカル（株）製「モナートガム（登録商標）ＤＡ」。
エタノール：エタノール、日本アルコール販売（株）製「合成９５」。
香料：特開２００３−１８３６９７号公報記載の香料組成物Ａ。
ｐＨ調整剤：硫酸、関東化学（株）製「硫酸」、水酸化カリウム、ＡＧＣ（株）製「液体苛性カリ」。
【００５３】
［実施例１〜４３、比較例１〜８］
≪液体洗浄剤の製造≫
各例の液体洗浄剤５００ｇを下記の手順で調製した。
表１〜６の配合に従い、（Ａ）〜（Ｃ）成分と任意成分とを（Ｄ）成分に混合し、必要に応じ、ｐＨ調整剤（硫酸又は水酸化カリウム）を新たに加えて、ｐＨ７．０として、５００ｇになるまで（Ｄ）成分を加えて、各例の液体洗浄剤を得た。
表中、「組成」の単位は、「質量％」であり、純分換算量を示す。表中、「−」は、その成分が含まれていないことを示す。表中、（Ｄ）成分の配合量「バランス」は、液体洗浄剤の総質量を１００質量％（５００ｇ）にするのに要した量を示す。表中、ｐＨ調整剤の配合量「適量」は、液体洗浄剤のｐＨを７．０に調整するのに要した量を示す。
【００５４】
＜粘度の測定＞
各例の液体洗浄剤を２５℃に調整し、Ｂ型粘度計（ＴＯＫＩＭＥＣ社製）を用いて、ローター番号Ｎｏ．１、ローター回転数６０ｒｐｍで、ローターの回転の開始から６０秒後の値を粘度として測定した。測定した粘度を下記評価基準に基づいて評価した。結果を表１〜６に示す。
《評価基準》
◎◎：粘度が１０ｍＰａ・ｓ以下。
◎：粘度が１０ｍＰａ・ｓ超３０ｍＰａ・ｓ以下。
○：粘度が３０ｍＰａ・ｓ超５０ｍＰａ・ｓ以下。
△：粘度が５０ｍＰａ・ｓ超１００ｍＰａ・ｓ以下。
×：粘度が１００ｍＰａ・ｓ超。
【００５５】
＜除菌力の評価＞
各例の液体洗浄剤について、除菌力を以下のように評価した。
（１）対照試料の調製
ポリオキシエチレンソルビタンモノオレアート(商品名「Ｔｗｅｅｎ８０」、東京化成工業（株）製)の、０．０５質量％水溶液を高圧蒸気滅菌したものを対照試料として用いた。
（２）試験用菌液の調製
黄色ブドウ球菌、大腸菌をＴＳＡ（Ｔｒｉｐｔｉｃ  Ｓｏｙ  Ａｇａｒ）培地（Ｄｉｆｃｏ製）に接種し、３７℃、１８〜２０時間、前々培養した。次いで、この菌をＴＳＡ培地に接種して、３７℃、１８〜２０時間、前培養した後、滅菌した１／２ＮＢ（Ｎｕｔｒｉｅｎｔ  Ｂｒｏｔｈ）培地（Ｄｉｆｃｏ製）を用い、１０６ＣＦＵ／ｍＬになるように調製した。
（３）不活性化剤の調製
ポリペプトン、レシチン、ポリソルベートの混合物（ＬＰ希釈液ダイゴ（商品名）、日本製薬（株）製）３０ｇを精製水１Ｌに加温溶解し、高圧蒸気滅菌したものを用いた。
（４）試験管の滅菌
１８０℃、１時間にて乾熱滅菌を行った。
（５）除菌力測定
滅菌した試験管に、５０℃の環境で１ヶ月間保存した試験用菌液の１ｍＬを添加し、続いて評価試料（各例で得た液体洗浄剤）又は対照試料を９ｍＬ加え、撹拌後静置した。１０分静置後、撹拌してその中から１ｍＬ採取し、不活性化剤が９ｍＬ入った滅菌試験管に添加して撹拌したものを試験液（ｉ）とした。
混釈培養法にて、試験液（ｉ）をＴＳＡ培地に塗布し、３７℃にて４０時間培養後、菌数を求めた。対照試料のＬｏｇ菌数値から評価試料のＬｏｇ菌数値を差し引いたＬｏｇ菌数値を、除菌活性値とし、下記の評価基準に基づいて除菌力を評価した。◎◎、◎及び○を合格とした。結果を表１〜６に示す。
《評価基準》
◎◎：除菌活性値が２．５以上。
◎：除菌活性値が２．０以上２．５未満。
○：除菌活性値が１．５以上２．０未満。
×：除菌活性値が１．５未満。
【００５６】
＜拭き取り性の評価＞
スライドガラスに各例の液体洗浄剤１００μＬを乗せ、８ツ折にしたトイレットペーパーで軽くひと拭きした。乾燥後、拭き跡の残り具合を目視で確認し、下記評価基準に基づいて拭き取り性を評価した。◎◎、◎及び○を合格とした。結果を表１〜６に示す。
《評価基準》
◎◎：拭き跡が全く残らず、ベタつきも全く感じない。
◎：極わずかに細い線状の拭き跡が残るが、ベタつきもなく気にならない。
○：わずかに細い線状の拭き跡が残るが、ベタつきは気にならない。
△：部分的に拭き跡が残り、ベタつきも感じられる。
×：全面に拭き跡が残り、ベタつきも感じられる。
【００５７】
＜洗浄力の評価＞
２５ｍｍ×１００ｍｍの陶器板上に、成人男性５名の尿１００μＬを乗せ、室温（２５℃）で２４時間放置し、乾燥させた。乾燥後、５０ｍＬバイアル瓶内で、上記陶器板を各例の液体洗浄剤２０ｍＬに３０秒間浸漬して取り出した。取り出した陶器板を水で２回洗った後、汚れの残り具合を下記評価基準に基づいて、専門パネラー５名が目視で評価した。専門パネラーの評価結果の平均値を求め、３〜５点を合格とした。結果を表１〜６に示す。
《評価基準》
５点：完全に汚れが落ちている。
４点：ほとんど汚れが落ちている。
３点：半分程度汚れが落ちている。
２点：やや汚れが落ちている。
１点：全く汚れが落ちていない。
【００５８】
【表１】
2020105257.tif 000004
【００５９】
【表２】
2020105257.tif 000005
【００６０】
【表３】
2020105257.tif 000006
【００６１】
【表４】
2020105257.tif 000007
【００６２】
【表５】
2020105257.tif 000008
【００６３】
【表６】
2020105257.tif 000009
【００６４】
表１〜５に示すように、本発明を適用した実施例１〜４３は、除菌力の評価が「◎◎」又は「◎」で、拭き取り性の評価が「◎◎」、「◎」又は「○」で、洗浄力の評価が３〜５点であった。
これに対し、表６に示すように、（Ａ）成分の含有量が本発明の範囲外である比較例１は、拭き取り性の評価が「△」で、洗浄力の評価が２点だった。（Ａ）成分の含有量が本発明の範囲外である比較例２は、拭き取り性の評価が「△」だった。
（Ｂ）成分の含有量が本発明の範囲外である比較例３は、洗浄力の評価が２点だった。（Ｂ）成分の含有量が本発明の範囲外である比較例４は、拭き取り性の評価が「×」だった。（Ｂ）成分を比較品とした比較例５は、拭き取り性の評価が「△」だった。
（Ｃ）成分を比較品とした比較例６は、洗浄力の評価が２点だった。
Ａ／（Ｂ＋Ｃ）比が本発明の範囲外である比較例７は、拭き取り性の評価が「△」だった。Ａ／（Ｂ＋Ｃ）比が本発明の範囲外である比較例８は、除菌力の評価が「×」で、拭き取り性の評価が「△」だった。
【００６５】
これらの結果から、本発明を適用した液体洗浄剤は、洗浄力と除菌力とにより優れ、かつ、拭き取り性が良好であることを確認できた。